(57)【要約】      （修正有）【課題】携帯電話をはじめとする移動体無線通信機器を利用した制御システムにおいては、その制御信号通信のために通常基地局あるいは中継局との接続が不可欠であり、確実な通信のためには制御元から制御対象までの全経路において異常のないことが必要であり、確実性と安全性の高い通信は困難であった。【解決手段】携帯電話などの移動体無線通信機器をはじめとする無線機器による確実な通信のために基地局やネットワークを介さないで中継される機器の数を最小にして機器の通信経路を最短化する。【選択図】図２
2004166041.tif 000002
【特許請求の範囲】
【請求項１】
無線機器から発信される無線電波信号の受信回路を具備し、発信される任意の電波信号の一部を受信し、それを制御対象に応じて記憶し、記憶した電波信号と同一または類似した信号の検出時に対象となる制御を行うことを特長とする受信装置。
【請求項２】
無線機器から発信される無線電波信号の受信回路を具備し、無線機器からの任意の発信電波信号あるいは無線機器への任意の着信時電波信号の一部を受信し、それを制御対象に応じて記憶し、記憶した電波信号と同一または類似した信号の検出時に対象となる制御を行うことを特長とする受信装置。
【請求項３】
無線機器と基地局間の定期的な位置情報管理電波信号の一部を受信し、それを制御対象に応じて記憶し、記憶した電波信号を検出した場合、あるいは検出しない場合に対象となる制御を行うことを特長とする受信装置。
【請求項４】
請求項１から３の何れかに記載の制御装置に赤外線遠隔制御信号の送信回路を加えることで、予め記憶しておいた無線機器からの制御指令電波信号に対応して予め記憶しておいた赤外線遠隔制御信号を出力する制御装置。
【請求項５】
無線機器に対応する基地局あるいは中継局を必要としない、請求項１から４の何れかに記載の制御装置。
【発明の詳細な説明】
【０００１】
【発明の属する技術分野】
移動体無線通信による遠隔制御に関するものである。
【０００２】
【従来の技術】
【０００３】
携帯電話をはじめとする移動体無線通信機器を利用した従来の遠隔制御システムにおいては、その制御信号の通信のために図１に示すようなネットワークを介するものが一般的である
【０００４】
ラジコンをはじめとする無線遠隔制御装置は操作対象の受信側を目視で監視する必要があり、遠隔制御範囲に制限がある。
【０００５】
【発明が解決しようとする課題】
通信機器でも、特に携帯電話をはじめとする移動体無線通信機器を利用した制御システムにおいては、その制御信号通信のために通常基地局あるいは中継局との接続が不可欠であり、確実な通信のためには制御元（発信器）から制御対象までの全経路において異常のないことが必要であり、またセキュリティ面から見ても途中の経路で情報が漏洩する可能性があり、確実性と安全性の高い通信は困難であった。又  多数の制御を行うために発信操作を複数回実行が必要であり、面倒であった。
【０００６】
【課題を解決するための手段】
携帯電話などの移動体無線通信機器をはじめとする無線機器による確実な通信のために基地局やネットワークを介さないで中継される機器の数を最小にして機器の通信経路を最短化し、又、制御部で受信した無線信号を制御モードに応じて予め幾通りかを記憶し、以降同様な信号の検出時に記憶した制御目的に対応する制御を行う。
【０００７】
【発明の実施の形態】
携帯電話での実施例として、鍵のロックまたはアンロックを行う制御システムに応用した場合の構成を図２に示す。図２は制御部が発信機▲１▼の電波圏内の直接制御時、図３は制御部が中継局や基地局▲２▼を介した遠隔地の場合であるが、どちらも制御部が受信した電波信号を記憶する、という点では同一である。
まず初めに無線受信制御装置▲３▼側がダイヤル発信時の信号パターンを登録時に記憶しておくために学習操作が必要となる。
例えば、鍵のロックをするための発信電話番号として、０１２−３４５−６７８９＃０１、アンロックのための番号として、０１２−３４５−６７８９＃０に、という具合である。
これらを携帯電話機の電話帳に、従来の氏名ではなく、制御モード名として登録することが従来どおりの電話帳機能の利用によって可能であり、携帯電話機（発信機）▲１▼側には本発明のために一切の改造を必要としない。
本発明である無線受信制御装置▲３▼の基本構成を図４に示す。受信用のアンテナからＬＮＡ（低ノイズ増幅器），  Ｍｉｘｅｒ  （ミキサ）  など一般的な移動体通信端末と同様のフロントエンド受信部により高周波の信号を中間周波数ＩＦに変換し、それを信号処理回路によってデジタル値に変換し、最終的にマイクロプロセッサ内のソフトウェアによって受信した無線信号の記憶と制御等の処理が行われる。無線信号の記憶は、図の「記憶ボタン１，２，…」のいずれかを押下している間の無線信号を記憶することで行っている。制御においては、何らかの無線信号を受信した場合、以前に記憶した無線信号との照合を行い、ある程度の一致が見られた場合には記憶した時のボタン「記憶ボタン１，２，…」のいずれかに対応する制御を行う。
なお、本発明は本実施例のような基本構成に限定されるものではなく、回路構成としても単純な無線信号の場合には、基本的にはアンテナと
；信号処理の高速スイッチングを可能とするショットキバリアダイオードにワンチップマイコン、といった回路構成で実現可能である。
また、本実施例ではＲＦ受信周波数について記載していないが、ソフトウェア無線技術により、特定のＲＦ周波数に依存しない汎用性の高い遠隔制御システムが可能となる。
また、電話基地局へ達して発信先電話番号に接続される前に携帯電話の発信をオフすれば、使用者にとってはコストの一切かからない遠隔制御システムとなる。
あるいはその反対に、接続されたことを接続先機器が認識して、適切な認証や情報通信を行うことで非常にセキュリティ性の高いシステムが実現できる。
【０００８】
【実施例】
【０００９】
マンションに住む人の所へ訪問客が訪れた場合  図５参照
外出先のＡさん携帯電話に友人ＢさんがＡさんの自宅の近くにきたので訪問したいと電話がありました。Ａさんのマンションはゲストルームがありそこで待ってもらうことにしました。Ｂさんにはマンションの入り口でもう一度携帯に電話してくださいとお願いし、Ａさんは車で自宅へＢさんに会うために急ぎました。まもなくＢさんからマンションの玄関についたと連絡がありましたので、Ａさんは携帯からマンションのゲートの鍵を開き、Ｂさんにゲストルームに待ってもらいました。
【００１０】
ビジネスマンの自宅への応用  図６参照
Ｃさんは一人で住んでいます。冷たい部屋に帰るのは楽しいものではありませんでした。本装置を導入することでＣさんは楽しい生活を送ることができるようになりました。Ｃさんは帰宅するとき会社から携帯電話で帰宅メニューを選択し実行します。帰宅メニューには、風呂沸かし、床暖房、電気釜、照明、ＤＶＤがセットされていて、Ｃさんの大好きな音楽の流れる明るく暖かい家に帰宅することができ、風呂が炊き上がり、電気釜にはご飯が炊けている状態で待っていてくれます。
【００１１】
【発明の効果】
【００１２】
発信機側を従来からの通信機器をそのまま利用し、あらゆる無線機器に適用可能な信頼性と機密性の高い遠隔制御システムが可能である。
【図面の簡単な説明】
【図１】従来の移動体無線通信機器を利用した遠隔制御システム
【図２】鍵のロックまたはアンロックを行う制御システム
【図３】鍵のロックまたはアンロックを行う遠隔地での制御システム
【図４】無線受信御装置の基本構成
【図５】マンションに住む人の所へ訪問客が訪れた場合の実施例
【図６】ビジネスマン自宅への応用実施例
【符号の説明】
▲１▼−−−−発信機
▲２▼−−−−中継局や基地局
▲３▼−−−−無線受信制御装置
【図１】
2004166041.tif 000003
【図２】
2004166041.tif 000004
【図３】
2004166041.tif 000005
【図４】
2004166041.tif 000006
【図５】
2004166041.tif 000007
【図６】
2004166041.tif 000008